(57)【要約】      （修正有）【課題】折り畳み可能であって、書類などの変形や破損を防ぎ、端板の剛性を保持した折り畳み式箱型ファイルを提供する。【解決手段】折り畳み式箱型ファイル１であって、両端が開放されて四角筒状に形成された本体部２と、本体部２の一端開放部を開閉可能な端板部と、を備え、本体部２は、相対する２つの側板２１、２２と、相対する２つの幅板２３、２４により形成され、端板部は、一方の側板の一辺を基端として、一端開放部を開閉する端板と、他方の側板に沿って、端板の自由端から本体部２の他端開放部に延びた支持板５と、支持板５を本体部２に固定するための固定部６と、を備える。【選択図】図１
0003199645.tif 000002
【実用新案登録請求の範囲】
【請求項１】
両端が開放されて四角筒状に形成された本体部と、
前記本体部の一端開放部を開閉可能な端板部と、を備え、
前記本体部は、相対する２つの側板と、相対する２つの幅板により形成され、
前記端板部は、一方の側板の一辺を基端として、前記一端開放部を開閉する端板と、
他方の側板に沿って、前記端板の自由端から前記本体部の他端開放部に延びた支持板と、
前記支持板を前記本体部に固定するための固定部と、を備えることを特徴とする折り畳み式箱型ファイル。
【請求項２】
前記支持板は、四角筒状の前記本体部の筒内を、他方の側板に沿って延びていることを特徴とする請求項１に記載の折り畳み式箱型ファイル。
【請求項３】
前記固定部は、前記他端開放部近傍で前記支持板から折り返され、他方の側板を、前記支持板と共に挟み込むようにして固定することを特徴とする請求項１又は請求項２に記載の折り畳み式箱型ファイル。
【請求項４】
前記支持板は、前記本体部が四角筒状に形成された際に相対する前記幅板の離間距離により決定される内寸に対して、前記内寸方向が短く形成された短寸領域を備えていることを特徴とする請求項１~３の何れかに記載の折り畳み式箱型ファイル。
【請求項５】
前記支持板は、前記一端側開放部近傍において、前記本体部が四角筒状に形成された際に相対する前記幅板の離間距離により決定される内寸に対して、前記内寸方向の寸法を部分的に長く形成する舌片を備えていることを特徴とする請求項１〜４の何れかに記載の折り畳み式箱型ファイル。
【請求項６】
前記舌片は、一端開放部に向かうにつれて前記寸法を短調に増大させる拡大領域を備えていることを特徴とする請求項５に記載の折り畳み式箱型ファイル。
【請求項７】
前記舌片は、一端開放部に向かにつれて前記寸法を短縮させる縮小領域を備えていることを特徴とする請求項５又は請求項６に記載の折り畳み式箱型ファイル。
【請求項８】
他方の前記側板は、前記他端開放部側の一辺に、前記端板部を挟み込む溝部を備えることを特徴とする請求項１〜７の何れかに記載の折り畳み式箱型ファイル。
【考案の詳細な説明】
【技術分野】
【０００１】
本考案は、書類などを収容する為の、折り畳み式の箱型のファイルに関する。
【背景技術】
【０００２】
従来、書類などを整理するための箱型ファイルが利用されている。箱型ファイルは、作業中の書類などの分類や、処理が完了した書類などの保存などに利用される。この種の箱型ファイルは、流通過程や保管時に嵩張らない為に、折り畳み式（組み立て式）の構造とするのが一般的である。
【０００３】
折り畳み式の箱型ファイルは、相対する２つ側板と、相対する２つの幅板と、１面の端板（底板）を備えた箱体であって、書類などを出し入れするために１面が開放された解放部を備えた構造が一般的である。折り畳み時には、相対する側板が接触するように扁平に折り畳まれており、使用する際に、使用者によって箱状に起こされる。
【０００４】
折り畳み式の構造には様々なものが存在するが、側板及び幅板から延在された複数の端板構成片を、かみ合わせるようにして平面状に押し広げることで端板を形成し、箱型に組み立てる方式が一般的である。
【０００５】
上述のように、折り畳み式箱型ファイルは、使用時に折りたたまれた状態から箱型に組み立てる作業が必要である。特許文献１のように、この組み立て作業をワンタッチで容易に行う為の技術が知られている。特許文献１には、端板の組み立てをワンタッチで行うことが可能な、箱型ファイルが記載されている。
【先行技術文献】
【特許文献】
【０００６】
【特許文献１】実用新案登録公報第２５３８２０１号
【考案の概要】
【考案が解決しようとする課題】
【０００７】
しかしながら、従来の箱型ファイルは、その端板を、複数の端板構成片によって形成している。そのため、端板の剛性を十分に確保することができず、書類などを入れた状態で箱型ファイルを運搬する際などに端板が抜ける恐れがあった。
【０００８】
また、複数の端板構成片のかみ合った隙間や、側板と端板との間などに書類などの角が引っかかり、書類が折れ曲がる恐れがある。
【０００９】
本考案は、上記のような実状に鑑みてなされたものであり、折り畳み可能であって、書類などの変形や破損を防ぎ、端板の剛性を保持した折り畳み式箱型ファイルを提供することを課題とする。
【課題を解決するための手段】
【００１０】
上記課題を解決するために、本考案は、折り畳み式箱型ファイルであって、両端が開放されて四角筒状に形成された本体部と、前記本体部の一端開放部を開閉可能な端板部と、を備え、前記本体部は、相対する２つの側板と、相対する２つの幅板により形成され、前記端板部は、一方の側板の一辺を基端として、前記一端開放部を開閉する端板と、他方の側板に沿って、前記端板の自由端から前記本体部の他端開放部に延びた支持板と、前記支持板を前記本体部に固定するための固定部と、を備えることを特徴とする。
【００１１】
このような構成とすることによって、折り畳み式箱型ファイルの端板を、端板構成片ではなく１枚の板状部材で構成することができる。そのため、端板の剛性を保持することができ、書類などを入れた状態で箱型ファイルを運搬する際に底抜けを防ぐことが可能である。
【００１２】
また、従来の折り畳み式箱型ファイルでは、端板を形成する複数の端板構成片をかみ合わせた際に生じる隙間や、側板と端板との間などに生じる隙間に書類の角が引っかかり、書類が折れ曲がる可能性があった。本考案に関る箱型ファイルでは、一方の側板の一端開放部側の一辺を基端として１枚の板状部材である端板が形成されている。そのため、一方の側板と端板との間の隙間に書類が入り込み、書類などが折れ曲がることがなくなり、収容する書類などの変形や破損を防ぐことができる。
【００１３】
本考案の好ましい形態では、前記支持板は、四角筒状の前記本体部の筒内を、他方の側板に沿って延びていることを特徴とする。
このような構成とすることによって、書類などを収容する箱型ファイルの内部空間の３面を、一方の側板と、端板と、支持板と、で構成することができる。そのため、書類や書類の角が入り込む隙間を無くし、書類などの変形や破損を防ぐことができる。
【００１４】
本考案の好ましい形態では、前記固定部は、前記他端開放部近傍で前記支持板から折り返され、他方の側板を、前記支持板と共に挟み込むようにして固定することを特徴とする。
このような構成とすることによって、端板にかかる力を固定部と支持板を折り返した点で他方の側板へ分散させることが可能である。そのため、固定部、端板への負荷を軽減し、端板の剛性を保持することができる。
【００１５】
本考案の好ましい形態では、前記支持板は、前記本体部が四角筒状に形成された際に相対する前記幅板の離間距離により決定される内寸に対して、前記内寸方向が短く形成された短寸領域を備えていることを特徴とする。
このような構成とすることによって、箱型ファイルを折り畳んだ際に、支持板の厚みで嵩張ることを防ぐことができる。
【００１６】
本考案の好ましい形態では、前記支持板は、前記一端側開放部近傍において、前記本体部が四角筒状に形成された際に相対する前記幅板の離間距離により決定される内寸に対して、前記内寸方向の寸法を部分的に長く形成する舌片を備えていることを特徴とする。
このような構成とすることで、支持板を他端開放部側に引き上げて一端開放部を端板で閉塞する際に、他方の側板又は幅板に端板が引っかかり、破損することを防ぐことができる。
【００１７】
本考案の好ましい形態では、前記舌片は、一端開放部に向かうにつれて前記寸法を短調に増大させる拡大領域を備えていることを特徴とする。
このような構成とすることによって、支持板を他端開放部側に引き上げて一端開放部を端板で閉塞する際に、折り畳まれた状態の幅板を、拡大領域に沿って立ち上がらせることができる。
【００１８】
本考案の好ましい形態では、前記舌片は、一端開放部に向かにつれて前記寸法を短縮させる縮小領域を備えていることを特徴とする。
このような構成とすることによって、支持板を他端開放部側に引き上げて一端開放部を端板で閉塞する際、幅板に舌片の縮小領域をひっかけることができ、折り畳まれた状態に戻ろうとする力を抑えることができる。
【００１９】
本考案の好ましい形態では、他方の前記側板は、前記他端開放部側に、前記端板部を挟み込む溝部を備えることを特徴とする。
このような構成とすることによって、支持板を他端開放部側に引き上げて一端開放部を端板で閉塞する際、溝部に支持板を挟み込んで、折り畳まれた状態に戻ろうとする力を抑えることができる。
【考案の効果】
【００２０】
折り畳み可能であって、書類などの変形や破損を防ぎ、端板の剛性を保持した折り畳み式箱型ファイルを提供することができる。
【図面の簡単な説明】
【００２１】
【図１】本考案の実施形態に係る箱型ファイルを示す斜視図である。
【図２】本考案の実施形態に係る箱型ファイルの分解斜視図である。
【図３】本考案の実施形態に係る折り畳み時の箱型ファイルを示す斜視図である。
【図４】本考案の実施形態に係る折り畳み時の箱型ファイルの分解斜視図である。
【図５】本考案の実施形態に係る箱型ファイルの展開図である。
【図６】本考案の実施形態に係る折り畳み時の箱型ファイルの正面図である。（ａ）は折り畳み時の箱型ファイル全体の正面図を、（ｂ）は舌片周辺を拡大した部分拡大正面図である。
【図７】本考案の実施形態に係る組み立て時の箱型ファイルの断面図である。
【図８】本考案の実施形態に係る折り畳み時の箱型ファイルの断面図である。
【図９】本考案の実施形態に係る箱型ファイルの部分拡大図である。（ａ）は折り畳み時の箱型ファイルの部分拡大図、（ｂ）は組み立て途中の箱型ファイルの部分拡大図、（ｃ）は組み立てられた箱型ファイルの部分拡大図である。
【考案を実施するための形態】
【００２２】
以下、本考案の実施の形態について図面を参照して説明する。
図１は本考案に係る折り畳み式の箱型ファイルを示す斜視図、図２は本考案に係る折り畳み式の箱型ファイルを示す分解斜視図であり、組み立てられた状態の箱型ファイル１を示している。図３は折り畳まれた状態の箱型ファイル１を示す斜視図、図４は折り畳まれた状態の箱型ファイル１を示す分解斜視図、図５は箱型ファイル１の展開図である。箱型ファイル１は、両端が開放されて四角筒状に形成された本体部２と、本体部２の一端開放部を開閉可能な端板部３と、を備えている。
【００２３】
図示例の箱型ファイル１は、図５に示すように、２つの板部材１１及び板部材１２によって形成されている。図５展開図中の直線は、板部材を屈折可能に加工してある個所を表している。なお、箱型ファイル１は、図示例のように必ずしも２つの板部材で構成する必要はなく、１枚の板部材で構成したり、３枚以上の複数枚の板状部材で構成しても構わない。本実施形態における板部材１１及び板部材１２はダンボール紙を用いて形成されているが、その他の材料を用いても構わない。
【００２４】
本体部２は、四角筒状に形成され、側板２１と、前記側板２１と相対する位置に配置された側板２２と、幅板２３と、前記幅板２３と相対する位置に配置された幅板２４と、を備えている。側板２１には、その側板２１を貫通する指掛け穴７が設けられている。また、側板２２の他端開放部側（図１〜４における上方向）には、支持板５の折り返し部分がはまり込むような溝部８が形成されている。
【００２５】
板部材１２の側板２１ａ（図５における側板２１ａの裏面）と、板部材１１の側板２１ｂ（図５における側板２１ｂの表面）とを固着し、図中の一点鎖線で谷折りにして、板部材１１の側板２１ｃ（図５における側板２１ｃの表面）を側板２１ｂ（図５における側板２１ｂの裏面）に固着することで、箱型ファイル１は形成されている。
【００２６】
図７（ａ）は、図１の組み立てられた状態でのＡ−Ａ’断面図を、図７（ｂ）は、図６（ａ）の組み立てられた状態でのＢ−Ｂ’断面図を示している。また、図８（ａ）は、箱型に折りたたまれた状態でのＣ−Ｃ’断面図を、図８（ｂ）は、箱型に組み立てられた状態でのＤ−Ｄ’断面図を示している。
【００２７】
図７、図８に表れるように、図示例の側板２１は、本体部２の筒内側から側板２１ａ、側板２１ｂ、側板２１ｃの順番で固着された３層の板部材によって形成されている。側板２１ｂからは幅板２４が延びており、前記幅板２４からは側板２２が延びている。また、前記側板２２からは幅板２３が延びており、前記幅板２３からは側板２１ｃが延びている。
【００２８】
端板部３は、図２及び図４に現れるように、側板及び幅板によって形成される本体部２の一端開放部（図１〜４における下側の解放部）を、一端開放部側における側板２１の一辺を基端として開閉自在に動く端板４と、端板４の自由端（図３、図４における手前側の長辺）から延在され、本体部２の筒内を側板２２に沿って他端開放部（図１〜４における上側の解放部）側に延びる支持板５と、前記支持板５の自由端に備えられた固定部６と、を備えている。
【００２９】
図７、図８に表れるように、側板２１ａからは端板４が延びており、前記端板４からは支持板５が延びている。支持板５の自由端は、他端開放部側で側板２２を挟み込むように折り返し可能に形成され、折り返された部分には、固定部６が備えられている。
【００３０】
図示例では、固定部６はシール部材により支持板５の自由端を側板２２に固着するものであるが、側板２２に設けられたスリットにはめ込むためのフラップを用いる等、その他の方法で固定するように構成しても構わない。支持板５は、箱型ファイル１の筒内を側板２２に沿って他端開放部側に延びているが、筒外を延びるように構成しても構わない。
【００３１】
図６（ａ）は、折り畳まれた状態の箱型ファイル１の全体を表す正面図である。図６（ｂ）は、図６（ａ）の正面図において、丸で囲まれた舌片周辺を拡大した部分拡大正面図である。Ｌは、本体部２が四角筒状態になった（組み立てられた）際の幅板２３及び幅板２４の離間距離である内寸を示している。
【００３２】
支持板５は、内寸方向（図６における左右方向）での寸法ｌがｌ＜Ｌとなるような短寸領域５１と、寸法ｌに最大でｄの幅を加える舌片５２と、を備えている。この舌片５２は、支持板５の内寸方向での寸法を一端開放部（図６（ｂ）下方向）に向うにつれてｌから短調に増加させ、幅が最大になった際にＬ＜ｌ＋ｄとなる拡大領域５３と、前記寸法を一端開放部に向かってｌ＋ｄから短縮させる縮小領域５４と、を備えている。
【００３３】
また、側板２１ａも、支持板５と同様に寸法ｌがｌ＜Ｌとなるような短寸領域５１を有している。支持板５及び側板２１ａに短寸領域５１が備えられていることによって、図８（ｂ）に表れるように、幅板２４が、支持板５及び側板２１ａの厚みによって嵩張ることなく、図３、図４、図６に示すように折り畳むことができる。
【００３４】
箱型ファイル１を、折り畳まれた状態から箱型に組み立てられた状態に変形する際には、本体部２を扁平な状態から四角筒状にする為に幅板を立ち上がらせる（側板と幅板の成す角を略直角にする）ステップと、支持板５を他端開放部側に引くことによって端板４で一端開放部を閉塞するステップと、支持板５の自由端を他端開放部近傍で折り返し、固定部６を側板２２の外面側（図１〜４における手前側の面）に固定するステップと、が行われる。
【００３５】
図９は、舌片５２近傍の部分拡大斜視図である。図９（ａ）は、図３、図６のように折り畳まれた状態時の舌片５２近傍を表しており、図９（ｂ）はその途中の状態時の舌片５２近傍を表しており、図９（ｃ）は箱型に組み立てられた状態時の舌片５２近傍を表している。
【００３６】
折り畳まれた状態の箱型ファイル１は、支持板５の自由端を他端開放部側に引くことによって、本体部２を四角筒状に変形させ、箱型に形成することができる。端板４は、自由端において支持板５と連結されており、支持板５が引かれる動きに伴って、基端を軸として一端開放部を閉塞する位置まで回転する。
【００３７】
舌片５２の拡大領域５３は、支持板５の内寸方向での幅を一端開放部に向かってｌから短調に増加させており、最大で支持板の幅がｌ＋ｄ（＞Ｌ）となるように形成されている。そのため、支持板５が他端開放部側に引かれる動きに伴って、幅板２４が、側板２１及び側板２２に対して略直角になるよう立ち上がらせることができる（図９（ａ）〜（ｃ）参照）。
【００３８】
これにより、支持板５を他端開放部側に引き、端板４で一端開放部を閉塞する動作に伴って、幅板２４を立ち上がらせることができる。
【００３９】
舌片５２の縮小領域５４は、端板４の自由端に向かうにつれて、支持板５の寸法をｌ＋ｄから短縮させている。これにより、図９（ｃ）の状態において、舌片５２と幅板２４との接触部分で摩擦抵抗を高めることができる。そのため、支持板５及び端板４が、図９（ｃ）の状態から図９（ｂ）の状態へ戻ろうとする力を抑えることができる。
【００４０】
これにより、箱型ファイル１が元の折り畳まれた形状に戻ろうとする力を抑え、端板４で一端開放部を閉塞した後から固定部６を固定するまでの間に、端板４で一端開放部を閉塞した状態で持続させることができる。
【００４１】
また、更に、支持板５の他端開放部側には、支持板５の折り返し部分の寸法がはまり込むような溝部が形成されている。この溝部によって、箱型ファイル１が元の折り畳まれた形状に戻ろうとする力を舌片５２と共に抑え、固定部６での固定を容易に行うことができる。更に、端板４が、一端開放部を閉塞するように、一端開放部の形状と略同一の四角形状となっていることで、本体部２が、図９（ｃ）の状態から図９（ｂ）の状態へ戻ろうとする力を抑えることができる。
【００４２】
本考案によれば、折り畳み可能であって、端板４（底板）の剛性を保持した箱型ファイルを提供することができる。折り畳み式箱型ファイルの端板４を、端板構成片ではなく１枚の板状部材で構成することができ、端板４の剛性を保持することができる。
【００４３】
また、支持板５の自由端を折り返して、側板２２を挟み込むようにして固定する構造となっている。そのため、端板４にかかる力を支持板５と側板２２に分散させることが可能である。これにより、端板４への負荷を軽減し、端板４の剛性を保持することができる。加えて、箱型ファイルの組み立て時に、折り畳まれた状態に戻ろうとする力を抑えることができ、容易に組み立てを行うことができる。
【００４４】
また、書類などを収容する箱型ファイルの内部空間の３面を、側板２１と、端板４と、支持板５と、の隙間なく連なった３面で構成することができる。そのため、書類や入り込む隙間や、書類の角が入り込む隙間を排除することができ、書類などの変形や破損を防ぐことができる。
【００４５】
また、内部空間の３面を、側板２１と、端板４と、支持板５と、の隙間なく連なった３面で構成する場合、支持板５を箱型ファイル１の筒内に配置する必要が生じる。そのため、支持板５の厚み分折り畳み時に嵩張るようになってしまう。支持板５の一部を幅板間の離間距離より短くした短寸領域５１を設けることによって、箱型ファイルを折り畳んだ際に、支持板５の厚みで嵩張ることを防ぐことができる。
【００４６】
また、支持板５が、拡大領域５３及び縮小領域５４を有する舌片５２を備えることによって、支持板５を他端開放部側に引き上げて一端開放部を端板４で閉塞する動作に際して、側板２２又は幅板２４に端板４が引っかかり、破損することを防ぐことができる。
【００４７】
また、折り畳まれた状態での幅板２４を、舌片５２の拡大領域５３に沿って立ち上がらせることができる。更に、支持板５を他端開放部側に引き上げて一端開放部を端板４で閉塞する際、舌片５２の縮小領域５４を幅板２４にひっかけることができ、折り畳まれた状態に戻ろうとする力を抑えることができる。
【産業上の利用可能性】
【００４８】
ダンボール紙で形成された組み立て式箱型ファイルを提供することができる。
【符号の説明】
【００４９】
１  箱型ファイル
１１  板部材
１２  板部材
２  本体部
２１、２１ａ、２１ｂ、２１ｃ、２２  側板
２３、２４  幅板
３  端板部
４  端板
５  支持板
５１  短寸領域
５２  舌片
５３  拡大領域
５４  縮小領域
６  固定部
７  指掛け穴
８  溝部
Ｌ  内寸
ｌ、ｄ  寸法
【図１】
0003199645.tif 000003
【図２】
0003199645.tif 000004
【図３】
0003199645.tif 000005
【図４】
0003199645.tif 000006
【図５】
0003199645.tif 000007
【図６】
0003199645.tif 000008
【図７】
0003199645.tif 000009
【図８】
0003199645.tif 000010
【図９】
0003199645.tif 000011